(57)【要約】  Ｔシャツ（１０）の前身頃（１２）は、表布（１６）と裏布（１８）とが重なり縫製されて形成されており、前身頃（１２）の表布（１６）と裏布（１８）とで前ポケット（２２）が形成されている。また、Ｔシャツ（１０）の前身頃（１２）の右側脇下部（２０Ｆ）には、口部（２４）が形成されており、当該口部（２４）が前ポケット（２２）と繋がっている。すなわち、当該Ｔシャツ（１０）の前身頃（１２）には、前身頃（１２）全体を収容部とする大きな前ポケット（２２）が設けられている。
2020105127.tif 000002
【特許請求の範囲】
【請求項１】
上体の前側を覆う前身頃と、
前記上体の後ろ側を覆い、前記前身頃と一体化された後ろ身頃と、
を備え、
前記前身頃は、
当該前身頃の表側の布を構成する表布と当該前身頃の裏側の布を構成する裏布とが重なって形成され、かつ
前記表布と前記裏布とで形成され、少なくともＡ４サイズ又はレターサイズの大きさの用紙が収容可能な収容部と、
前記収容部と繋がる口部と、
を含んで構成されている上衣。
【請求項２】
前記表布と前記裏布とが同じ大きさで形成されている請求項１に記載の上衣。
【請求項３】
前記表布と前記裏布とが縫製される縫製部の一部に前記口部が形成されている請求項１又は請求項２に記載の上衣。
【請求項４】
前記裏布には、前記収容部の外側に裏ポケットが設けられている請求項２又は請求項３に記載の上衣。
【請求項５】
前記表布に胸ポケットが設けられ、
前記裏ポケットは、正面視で前記胸ポケットと重なる位置に設けられている請求項４に記載の上衣。
【請求項６】
前記裏ポケットには、当該裏ポケットの一部を構成し、前記裏布と縫製されたポケット用布の上端部に形成されて当該裏ポケット内に収容された収容物の取り出しを阻害する返し部が設けられている請求項４又は請求項５に記載の上衣。
【請求項７】
前記裏ポケットは、パスポートが収容可能な大きさとなるように設定されている請求項４〜請求項６の何れか１項に記載の上衣。
【請求項８】
前記裏布には、前記収容部内に内ポケットが設けられている請求項１〜請求項７の何れか１項に記載の上衣。
【請求項９】
前記口部は、前記前身頃の右側又は左側に設けられている請求項１〜請求項８の何れか１項に記載の上衣。
【請求項１０】
前記上衣は、Ｔシャツである請求項１〜請求項９の何れか１項に記載の上衣。
【発明の詳細な説明】
【技術分野】
【０００１】
本発明は、上衣に関する。
【背景技術】
【０００２】
例えば、実開昭６０−１５２６４８５１５号公報には、トレーナーやＴシャツ等の上衣において、前身頃の腹部の中央にポケットが取付けられた技術が開示されている。つまり、この先行技術において、上衣の収容部は、前身頃の腹部の中央となる。
【発明の概要】
【発明が解決しようとする課題】
【０００３】
本発明は上記問題を考慮し、できるだけ大きい収容部が設けられた上衣を得ることが目的である。
【課題を解決するための手段】
【０００４】
上記目的を達成するために、本発明の第１の態様は、上体の前側を覆う前身頃と、前記上体の後ろ側を覆い、前記前身頃と一体化された後ろ身頃と、を備え、前記前身頃は、当該前身頃の表側の布を構成する表布と当該前身頃の裏側の布を構成する裏布とが重なって形成され、かつ前記表布と前記裏布とで形成され、少なくともＡ４サイズ又はレターサイズの大きさの用紙が収容可能な収容部と、前記収容部と繋がる口部と、を含んで構成されている。【０００５】
本発明の第１の態様では、上体の前側を覆う前身頃には、上体の後ろ側を覆う後ろ身頃が一体化されている。ここで、前身頃は、当該前身頃の表側の布を構成する表布と、前身頃の裏側の布を構成する裏布と、が重なって形成されている。【０００６】
さらに、当該前身頃は、収容部と口部を含んで構成されている。収容部は、前身頃の表布と裏布とで形成されており、少なくともＡ４サイズ又はレターサイズの大きさの用紙が収容可能な大きさとなるように設定されている。この収容部と口部が繋がっており、当該口部を通じて収容部内へ収容物を収容可能とされる。【０００７】
前述のように、本態様では、前身頃を、当該前身頃の表側の布を構成する表布と、前身頃の裏側の布を構成する裏布とで構成し、当該表布と裏布とで収容部を形成することによって、少なくともＡ４サイズ又はレターサイズの大きさの用紙が収容可能な収容部を形成することができる。つまり、本態様では、収容部内には、Ａ４サイズ又はレターサイズ以上の大きさの用紙が収容可能となる。【０００８】
なお、ここでの「一体化」は、前身頃と後ろ身頃とが、縫製、接着、溶着等により一つに繋がった状態を称する。裏を返せば、前身頃と後ろ身頃が一つに繋がっていればよく、必ずしも縫製や接着を行う必要はない。【０００９】
また、Ａ４サイズは、ＩＳＯ２１６で規定されている用紙サイズであり、２１０ｍｍ×２９７ｍｍである。また、レターサイズは、アメリカ合衆国で規格化された用紙サイズであり、８．５ｉｎ×１１ｉｎ（２１５．９ｍｍ×２７９．４ｍｍ）である。【００１０】
本発明の第２の態様は、本発明の第１の態様において、前記表布と前記裏布とが同じ大きさで形成されてもよい。【００１１】
本発明の第２の態様では、表布と裏布とが同じ大きさで形成されており、前身頃の表側の布を構成する表布と当該前身頃の裏側の布を構成する裏布とが二枚重なった状態で前身頃が形成されている。したがって、当該表布と裏布とで形成された収容部は、前身頃全体に及ぶ大きさとなる。【００１２】
本発明の第３の態様は、本発明の第１の態様又は第２の態様において、前記表布と前記裏布とが縫製される縫製部の一部に前記口部が形成されてもよい。【００１３】
本発明の第３の態様では、表布と裏布とが縫製される縫製部の一部に口部が形成されているため、当該縫製部以外の部位に口部が形成された場合と比較して、当該口部の位置が特定され難い。【００１４】
本発明の第４の態様は、本発明の第２の態様又は第３の態様において、前記裏布には、前記収容部の外側に裏ポケットが設けられてもよい。【００１５】
本発明の第４の態様では、前身頃の裏布側において、収容部の外側に裏ポケットが設けられている。本態様では、前身頃は、表布と裏布の二枚重ねとなっているため、裏布側に裏ポケットを設けることで、前身頃の表側から当該裏ポケットの存在の確認がし辛くなる。つまり、本態様では、上衣に当該裏ポケットが設けられていることが第三者から見て分かりづらく、セキュリティーを確保することができる。【００１６】
本発明の第５の態様は、本発明の第４の態様において、前記表布に胸ポケットが設けられ、前記裏ポケットは、正面視で前記胸ポケットと重なる位置に設けられてもよい。【００１７】
本発明の第５の態様では、表布に胸ポケットが設けられている。このため、本態様では、正面視で、裏ポケットが当該胸ポケットと重なる位置に設けられることで、上衣が濡れた状態であったとしても裏ポケットが上衣の表側から見えないようにしている。【００１８】
本発明の第６の態様は、本発明の第４の態様又は第５の態様において、前記裏ポケットには、当該裏ポケットの一部を構成し、前記裏布と縫製されたポケット用布の上端部に形成されて当該裏ポケット内に収容された収容物の取り出しを阻害する返し部が設けられてもよい。【００１９】
本発明の第６の態様では、裏ポケットにおいて、当該裏ポケットの一部を構成し裏布と縫製されたポケット用布の上端部に返し部が形成されており、当該裏ポケット内に収容された収容物の取り出しを阻害するようにしている。つまり、本態様では、裏ポケットに返し部が形成されることによって、裏ポケット内に収容された収容物を取り出すときに、当該収容物が返し部に引っ掛かることで、収容物が容易に取り出せないようにしている。【００２０】
本発明の第７の態様は、本発明の第４の態様〜第６の態様の何れか１の態様において、前記裏ポケットは、パスポートが収容可能な大きさとなるように設定されてもよい。【００２１】
本発明の第７の態様では、裏ポケットは、表布と裏布の二枚重ねで形成された前身頃の裏布側に設けられており、前身頃の表側からの確認がし辛いため、当該裏ポケット内にパスポート（９１ｍｍ×１２８ｍｍ）が収容できるようにすることで、当該パスポートを肌身離さず持ち運ぶことが可能となる。【００２２】
本発明の第８の態様は、本発明の第１の態様〜第７の態様の何れか１の態様において、前記裏布には、前記収容部内に内ポケットが設けられている。【００２３】
本発明の第８の態様では、裏布には、収容部内に内ポケットが設けられている。
本態様では、前身頃は、表布と裏布の二枚重ねとなっているため、裏布側に内ポケットを設けることで、前身頃の表側から当該内ポケットの存在の確認がし辛く、セキュリティーを確保することができる。【００２４】
本発明の第９の態様は、本発明の第１の態様〜第８の態様の何れか１の態様において、前記口部は、前記前身頃の右側又は左側に設けられてもよい。【００２５】
本発明の第９の態様では、口部は、前身頃の右側又は左側に設けられており、収容部への入口は一つとなる。【００２６】
本発明の第１０の態様は、本発明の第１の態様〜第９の態様の何れか１の態様において、上衣は、Ｔシャツでもよい。【００２７】
本発明の第１０の態様では、本発明がＴシャツに適用されることによって、当該Ｔシャツに多様性を持たせることができる。
【発明の効果】
【００２８】
以上説明したように、本発明の第１の態様は、上衣にできるだけ大きい収容部を設けることができる、という優れた効果を有する。【００２９】
本発明の第２の態様は、前身頃全体を大きな収容部とすることができる、という優れた効果を有する。【００３０】
本発明の第３の態様は、縫製部の一部に口部が形成されているため当該口部の位置が分かり難い。【００３１】
本発明の第４の態様は、裏ポケットの存在が前身頃の表側から見えないため、セキュリティーを確保することができる、という優れた効果を有する。【００３２】
本発明の第５の態様は、裏ポケットが上衣の表側から見えないため、セキュリティーを強化することができる、という優れた効果を有する。【００３３】
本発明の第６の態様は、裏ポケット内に収容された収容物を容易に取り出せないようして、セキュリティーをさらに強化することができる、という優れた効果を有する。【００３４】
本発明の第７の態様は、裏ポケット内にパスポートを収容して当該パスポートを肌身離さず持ち運ぶことができる、という優れた効果を有する。【００３５】
本発明の第８の態様は、内ポケットが上衣の表側から見えないため、セキュリティーを強化することができる、という優れた効果を有する。【００３６】
本発明の第９の態様は、収容部への入口を一つにすることで、収容部内の収納物の管理をし易くすることができる、という優れた効果を有する。【００３７】
本発明の第１０の態様は、当該Ｔシャツに多様性を持たせることができる、という優れた効果を有する。
【図面の簡単な説明】
【００３８】
【図１】本実施の形態に係る上衣が適用されたＴシャツの正面図である。
【図２】本実施の形態に係る上衣が適用されたＴシャツの裏ポケットが透けていない状態を示す正面図である。
【図３】本実施の形態に係る上衣が適用されたＴシャツの作用を説明するための正面図である。
【図４】本実施の形態に係る上衣が適用されたＴシャツの作用を説明するために一部を切り欠いた状態を示す正面図である。
【図５】図１のＡ−Ａ線に沿って切断したときの断面図である。
【図６】本実施の形態に係る上衣が適用されたＴシャツの作用を説明するための図５に対応する断面図である。
【図７】本実施の形態に係る上衣が適用されたＴシャツの第１変形例としての正面図である。
【図８】本実施の形態に係る上衣が適用されたＴシャツの第２変形例としての正面図である。
【図９】本実施の形態に係る上衣が適用されたＴシャツの第３変形例としての正面図である。
【発明を実施するための形態】
【００３９】
以下、図面を用いて、本発明に係る上衣の一実施形態について説明する。なお、単に前後、上下、左右の方向を用いて説明する場合は、Ｔシャツの前後、Ｔシャツの上下方向の上下、Ｔシャツの前身頃を基準として左右を示すものとする。
【００４０】
（上衣の構成）
まず、本実施形態に係る上衣の構成について説明する。
【００４１】
図１には、本実施の形態に係る上衣が適用されたＴシャツ１０の正面図が示されている。図１に示されるように、Ｔシャツ１０は、素材として、例えば、綿が用いられており、上体の前側を覆う前身頃１２と、上体の後ろ側を覆い前身頃１２と縫製された後ろ身頃１４と、前身頃１２及び後ろ身頃１４の上部側の左右にそれぞれ縫製された右袖部１５、左袖部１７と、を備えている。なお、Ｔシャツ１０の素材は、綿以外にポリエステルが用いられてもよいし、綿とポリエステルがブレンドされた繊維やそれ以外の繊維が用いられてもよい。
【００４２】
ここで、本実施形態では、Ｔシャツ１０の前身頃１２は、当該前身頃１２の表側の布を構成する表布１６と、当該前身頃１２の裏側の布を構成する裏布１８と、が重なって縫製されている。
【００４３】
具体的に説明すると、本実施形態では、表布１６と裏布１８は略同じ大きさに形成され、表布１６と裏布１８の縫製部２０は、右肩部２０Ａ、左肩部２０Ｂ、襟ぐり部２０Ｃ、右側袖ぐり部２０Ｄ、左側袖ぐり部２０Ｅ、右側脇下部２０Ｆ、左側脇下部２０Ｇ、裾部２０Ｈとなっている。そして、これにより、本実施形態では、Ｔシャツ１０の前身頃１２の表布１６と裏布１８とで収容部２２が形成される。
【００４４】
また、本実施形態では、Ｔシャツ１０の前身頃１２の縫製部２０の一部、具体的には、前身頃１２の右側脇下部２０Ｆにおいて、前身頃１２の上下方向の略中央部には、収容部２２と繋がる口部２４が形成されている。
【００４５】
この口部２４を通じて、収容部２２が大きなポケットとして機能することとなる。以下、収容部２２を「前ポケット２２」という。つまり、本実施形態では、Ｔシャツ１０の前身頃１２全体が前ポケット２２となり、当該前ポケット２２内には、図４に示されるように、少なくともＡ４サイズやレターサイズの大きさの用紙２６が展開された状態で収容可能とされる。なお、図４には、Ｔシャツ１０の一部が切り欠かれた状態で示された正面図である。
【００４６】
さらに、本実施形態では、図１に示されるように、Ｔシャツ１０の前身頃１２の胸部２８には、表布１６の左側に胸ポケット３０が設けられている。一方、前身頃１２の裏布１８には、正面視で胸ポケット３０と重なる位置において、前ポケット２２の外側に裏ポケット３２が設けられている（図５参照）。ここで、裏ポケット３２は胸ポケット３０よりも若干小さくなるように形成されており、正面視で裏ポケット３２は胸ポケット３０と完全に重なっている。なお、図５は、図１のＡ−Ａ線に沿って切断したときの断面図が示されている。
【００４７】
この裏ポケット３２は、図５に示されるように、裏布１８にポケット用布３４が縫製されることによって形成されており、当該ポケット用布３４と裏布１８との間で収容部３６が設けられる。この収容部３６は、収容物としてのパスポート４０が収容可能な大きさとなるように設定されている。
【００４８】
そして、本実施形態では、ポケット用布３４の上端部３４Ａに、当該裏ポケット３２内に収容された収容物（ここでは、パスポート４０）の取り出しを阻害する返し部３８が設けられている（図６参照）。当該返し部３８の両端部は、裏布１８と縫製されており、返し部３８は収容部３６の外側へはみ出さないようになっている。つまり、返し部３８は、裏ポケット３２の収容部３６側を開口とする袋状となっている。
【００４９】
（上衣の作用及び効果）
次に、本実施形態に係る上衣の作用及び効果について説明する。
【００５０】
図１に示されるように、本実施形態では、Ｔシャツ１０の前身頃１２は、表布１６と裏布１８とが略同じ大きさで二枚重なり縫製されて形成され、前身頃１２の表布１６と裏布１８とで前ポケット２２が形成されている。また、Ｔシャツ１０の前身頃１２の右側脇下部２０Ｆには、口部２４が形成されており、当該口部２４が前ポケット２２と繋がっている。
【００５１】
すなわち、本実施形態では、Ｔシャツ１０の前身頃１２には、図４に示されるように、当該前身頃１２全体を収容部とする大きな前ポケット２２が設けられている。このため、当該前ポケット２２内には、例えば、Ａ４サイズやレターサイズの用紙２６を展開した状態で収容させることができる。
【００５２】
一方、本実施形態では、前身頃１２の縫製部２０に形成された口部２４は、右側脇下部２０Ｆの一部に形成されることとなる。つまり、前ポケット２２の広さに対して口部２４は狭くなっている。このため、Ａ４サイズやレターサイズの用紙２６を前ポケット２２内に収容させる際には、図３に示されるように、当該用紙２６を丸める等して変形させた状態で口部２４を通過させなければならない。そして、図４に示されるように、前ポケット２２内に収容された状態で用紙２６を元の状態に復元（展開）させることとなる。
【００５３】
裏を返すと、前ポケット２２内に収容された用紙２６は、当該前ポケット２２内で丸める等して変形させないと、口部２４から取り出すことはできない。つまり、前ポケット２２内の用紙２６は展開させた状態のままでは取り出すことはできないため、前ポケット２２において、セキュリティーを確保することができる。
【００５４】
以上のように、前ポケット２２は、少なくともＡ４サイズやレターサイズの用紙２６が収容可能な大きさとなるように形成され、かつセキュリティーが確保されることで、当該前ポケット２２内に重要書類を収容することができる。つまり、当該重要書類を肌身離さず持ち運ぶことができる。
【００５５】
また、図１に示されるように、本実施形態では、Ｔシャツ１０の前ポケット２２は、前身頃１２全体を収容部とするため、当該前ポケット２２内に新聞紙等を入れることによって、Ｔシャツ１０において、保温効果を得ることも可能となる。
【００５６】
さらに、本実施形態では、図１に示されるように、口部２４は、前身頃１２の右側１２Ａに設けられている。つまり、前ポケット２２への入口は一つとなっており、前ポケット２２への入口が二つ設けられている場合と比較して、セキュリティーを強化することができる。
【００５７】
また、本実施形態では、Ｔシャツ１０の前身頃１２の裏布１８側において、前ポケット２２の外側に裏ポケット３２が設けられている。前述のように、前身頃１２は、表布１６と裏布１８の二枚重ねとなっているため、裏布１８側に裏ポケット３２を設けることで、図１、図２に示されるように、前身頃１２の表側から当該裏ポケット３２の存在の確認がし辛くなる。つまり、Ｔシャツ１０に当該裏ポケット３２が設けられていることが第三者から見て分かりづらく、セキュリティーを強化することができる。
【００５８】
さらに、本実施形態では、Ｔシャツ１０の表布１６に胸ポケット３０が設けられており、正面視で、裏ポケット３２が当該胸ポケット３０と完全に重なる位置に設けられることで、Ｔシャツ１０が濡れた状態であったとしても裏ポケット３２がＴシャツ１０の表側から見えないようにしている。また、裏ポケット３２内に収容物を入れた場合、当該収容物による膨らみが出てしまう可能性があるが、正面視で裏ポケット３２が胸ポケット３０と完全に重なることで、その膨らみを胸ポケット３０で誤魔化すことが可能となる。
【００５９】
これにより、セキュリティーをさらに強化することができる。このため、本実施形態では、裏ポケット３２が、収容物としてのパスポート４０が収容可能な大きさとなるように設定されてもよい。これにより、裏ポケット３２内にパスポート４０を収容することで、当該パスポート４０を肌身離さず持ち運ぶことができる。
【００６０】
また、本実施形態では、図５に示されるように、Ｔシャツ１０の裏ポケット３２には返し部３８が形成されている。これにより、図６に示されるように、裏ポケット３２内に収容されたパスポート４０を取り出す際、当該パスポート４０が返し部３８に引っ掛かり、パスポート４０の取り出しが阻害される。つまり、裏ポケット３２に収容されたパスポート４０を簡単に取り出すことができないようにしている。
【００６１】
これにより、例えば、前屈みになったときにおいても、当該裏ポケット３２に収容されたパスポート４０が簡単に落下しないようにしている。なお、図示はしないが、当該返し部３８に代えて、裏ポケット３２の開口を覆うフラップが裏布１８に設けられてもよい。
【００６２】
（本実施形態の補足事項）
以上の実施形態では、図１に示されるように、Ｔシャツ１０の前身頃１２において、表布１６と裏布１８が略同じ大きさとなるように形成されている。しかし、本態様では、表布１６と裏布１８とで形成される収容部としての前ポケット２２が、Ａ４サイズ及びレターサイズのうち少なくとも一方のサイズの用紙２６が収容可能な大きさであればよい。このため、当該表布１６と裏布１８は必ずしも同じ大きさである必要はない。
【００６３】
例えば、第１変形例として、図７に示されるように、Ｔシャツ４２の裏布４４が、表布１６の肩部４６を除く大きさとなるように設定されている。このため、表布１６と裏布４４の縫製部４８は、胸部４８Ａ、右側袖ぐり部４８Ｂの下部、左側袖ぐり部４８Ｃの下部、右側脇下部４８Ｄ、左側脇下部４８Ｅ、裾部４８Ｆとなる。なお、胸部４８Ａの位置によっては、右側袖ぐり部４８Ｂ、左側袖ぐり部４８Ｃの縫製は不要となる。ここでの縫製部４８は、デザインの一部として利用することもできる。
【００６４】
また、本実施形態では、表布１６と裏布１８とを縫製により一体化させているが、必ずしも縫製に限るものではない。例えば、接着、溶着等により表布１６と裏布１８とを一体化させるようにしてもよい。
【００６５】
さらに、本実施形態では、Ｔシャツ１０の前身頃１２が表布１６と裏布１８の二枚重ねとなっている。本態様では、これ以外にも、図示はしないが、Ｔシャツ１０の後ろ身頃１４が二枚重ねとなるようにしてもよく、また、前身頃１２及び後ろ身頃１４がそれぞれ二枚重ねとなるようにしてもよい。さらに、前身頃１２に設けられた前ポケット２２が、図示はしないが、後ろ身頃１４に設けられるポケットと繋がっていてもよい。
【００６６】
また、本実施形態では、図１に示されるように、Ｔシャツ１０の前身頃１２の縫製部２０の一部を成す右側脇下部２０Ｆに口部２４が形成されているが、前ポケット２２と繋がる口部２４が前身頃１２に形成されていればよいため、必ずしも縫製部２０上に口部２４を形成する必要はない。例えば、第２変形例として、図８に示されるように、前身頃１２の表布１６側に口部５０が形成されてもよい。
【００６７】
さらに、本実施形態では、図１に示されるように、Ｔシャツ１０の口部２４は、前身頃１２の右側１２Ａに設けられているが、前身頃１２の左側１２Ｂに設けられてもよいし、右側１２Ａ及び左側１２Ｂに設けられてもよい。
【００６８】
また、図示はしないが、口部２４に、裏ポケット３２と同様の、返し部が設けられてもよく、また、当該返し部に代えてフラップが設けられてもよい。勿論、口部２４を開閉可能にするボタンやファスナー等が設けられてもよい。
【００６９】
さらに、本実施形態では、Ｔシャツ１０の前身頃１２が表布１６と裏布１８の二枚重ねとなっている。図示はしないが、Ｔシャツ１０の後ろ身頃１４が二枚重ねとなるようにしてもよく、また、前身頃１２及び後ろ身頃１４がそれぞれ二枚重ねとなるようにしてもよい。
【００７０】
また、本実施形態では、Ｔシャツ１０の素材として綿が用いられ、前身頃１２は、表布１６と裏布１８が重なり縫製されて形成されている。つまり、表布１６及び裏布１８は、素材として同じ綿が用いられているが、表布１６と裏布１８とは必ずしも同じ素材である必要はない。例えば、裏布１８側にはメッシュ素材のものが用いられてもよい。
【００７１】
また、本実施形態では、Ｔシャツ１０の前身頃１２において、裏布１８側に設けられた裏ポケット３２が表布１６側に設けられた胸ポケット３０と、正面視で完全に重なる位置に設けられているが必ずしも完全に重なる必要はなく、一部が重なっていてもよい。また、裏ポケット３２が胸ポケット３０と重ならなくてもよい。このため、裏ポケット３２は、必ずしもＴシャツ１０の胸部２８の左側に設けられる必要はない。さらに、当該胸ポケット３０は必ずしも必要ではない。
【００７２】
さらに、本実施形態では、当該裏ポケット３２は、Ｔシャツ１０の前身頃１２の裏布１８側において、前ポケット２２の外側に設けられているが、これに限るものではない。例えば、第３変形例として、図９に示されるように、前ポケット２２内に内ポケット５２が設けられてもよい。この場合、口部２４を通じて当該内ポケット５２へ収容物を入れることとなる。
【００７３】
また、当該内ポケット５２を複数設け（内ポケット５２Ａ、５２Ｂ、５２Ｃ）、各内ポケット５２Ａ、５２Ｂ、５２Ｃ内にパスポート、携帯電話、お財布等の収容物が個々に収容可能とされるようにしてもよい。この場合、各収容物が移動しないように各内ポケット５２Ａ、５２Ｂ、５２Ｃ内に収容することができる。
【００７４】
以上のように、裏ポケット３２（図１参照）、内ポケット５２Ａ、５２Ｂ、５２Ｃに収容物を収容すると、裏布１８側にはテンションが掛かることとなる。前述のように、本実施形態では、Ｔシャツ１０の前身頃１２が表布１６と裏布１８の二枚重ねとなっている。このため、当該テンションにより裏布１８側に弛みが生じたとしても、裏布１８は表布１６で覆われているので、裏ポケット３２（図１参照）、内ポケット５２Ａ、５２Ｂ、５２Ｃ内に収容物が収容されていることがＴシャツ１０の表側からは目立たないようにすることができる。なお、内ポケット５２の数、配置、向きについてはこれに限るものではない。
【００７５】
さらにまた、本実施形態では、上衣としてＴシャツ１０を例に挙げて説明したが、これに限るものではない。例えば、生地を裁断・縫製して形成されたカットソー全般に適用可能である。このため、Ｔシャツ以外に、例えば、キャミソール、タンクトップ、ポロシャツ等に適用可能であり、トレーナー、タートルネック等を含む長袖タイプでも適用可能である。
【００７６】
以上、本発明の実施形態について説明したが、本発明は、上記に限定されるものでなく、一実施形態及び各種の変形例を適宜組み合わせて用いても良いし、本発明の要旨を逸脱しない範囲内において上記以外にも種々変形して実施することが可能であることは勿論のことである。
【図１】
2020105127.tif 000003
【図２】
2020105127.tif 000004
【図３】
2020105127.tif 000005
【図４】
2020105127.tif 000006
【図５】
2020105127.tif 000007
【図６】
2020105127.tif 000008
【図７】
2020105127.tif 000009
【図８】
2020105127.tif 000010
【図９】
2020105127.tif 000011
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
左右が一体化され、上体の前側を覆う前身頃と、
前記上体の後ろ側を覆い、前記前身頃と一体化された後ろ身頃と、
を備え、
前記前身頃は、
当該前身頃の表側の布を構成する表布と当該前身頃の裏側の布を構成する裏布とが重なって形成され、かつ、前記表布と前記裏布とで形成されると共に前記前身頃の左右が繋がって少なくともＡ４サイズ又はレターサイズの大きさの用紙が収容可能な収容部と、
前記収容部と繋がる口部と、
を含んで構成されている上衣。
【請求項２】
前記表布と前記裏布とが同じ大きさで形成されている請求項１に記載の上衣。
【請求項３】
前記表布と前記裏布とが縫製される縫製部の一部に前記口部が形成されている請求項１又は請求項２に記載の上衣。
【請求項４】
前記裏布には、前記収容部の外側に裏ポケットが設けられている請求項２又は請求項３に記載の上衣。
【請求項５】
前記表布に胸ポケットが設けられ、
前記裏ポケットは、正面視で前記胸ポケットと重なる位置に設けられている請求項４に記載の上衣。
【請求項６】
前記裏ポケットには、当該裏ポケットの一部を構成し、前記裏布と縫製されたポケット用布の上端部に形成されて当該裏ポケット内に収容された収容物の取り出しを阻害する返し部が設けられている請求項４又は請求項５に記載の上衣。
【請求項７】
前記裏ポケットは、パスポートが収容可能な大きさとなるように設定されている請求項４〜請求項６の何れか１項に記載の上衣。
【請求項８】
前記裏布には、前記収容部内に内ポケットが設けられている請求項１〜請求項７の何れか１項に記載の上衣。
【請求項９】
前記口部は、前記前身頃の右側又は左側に設けられている請求項１〜請求項８の何れか１項に記載の上衣。
【請求項１０】
前記上衣は、Ｔシャツである請求項１〜請求項９の何れか１項に記載の上衣。
【手続補正３】
【補正対象書類名】明細書
【補正対象項目名】０００１
【補正方法】変更
【補正の内容】
【０００１】
技術分野
［０００１］
本発明は、上衣に関する。
背景技術
［０００２］
例えば、実開昭６０−１５２６４８５１５号公報には、トレーナーやＴシャツ等の上衣において、前身頃の腹部の中央にポケットが取付けられた技術が開示されている。つまり、この先行技術において、上衣の収容部は、前身頃の腹部の中央となる。
発明の概要
発明が解決しようとする課題
［０００３］
本発明は上記問題を考慮し、できるだけ大きい収容部が設けられた上衣を得ることが目的である。
課題を解決するための手段
［０００４］
上記目的を達成するために、本発明の第１の態様は、左右が一体化され、上体の前側を覆う前身頃と、前記上体の後ろ側を覆い、前記前身頃と一体化された後ろ身頃と、を備え、前記前身頃は、当該前身頃の表側の布を構成する表布と当該前身頃の裏側の布を構成する裏布とが重なって形成され、かつ前記表布と前記裏布とで形成されると共に前記前身頃の左右が繋がって少なくともＡ４サイズ又はレターサイズの大きさの用紙が収容可能な収容部と、前記収容部と繋がる口部と、を含んで構成されている。
［０００５］
本発明の第１の態様では、左右が一体化されて上体の前側を覆う前身頃には、上体の後ろ側を覆う後ろ身頃が一体化されている。ここで、前身頃は、当該前身頃の表側の布を構成する表布と、前身頃の裏側の布を構成する裏布と、が重なって形成されている。
［０００６］
さらに、当該前身頃は、収容部と口部を含んで構成されている。収容部は、前身頃の表布と裏布とで形成されると共に当該前身頃の左右が繋がっており、少なくともＡ４サイズ又はレターサイズの大きさの用紙が収容可能な大きさとなるように設定されている。
【手続補正４】
【補正対象書類名】明細書
【補正対象項目名】０００２
【補正方法】変更
【補正の内容】
【０００２】
この収容部と口部が繋がっており、当該口部を通じて収容部内へ収容物を収容可能とされる。
［０００７］
前述のように、本態様では、前身頃を、当該前身頃の表側の布を構成する表布と、前身頃の裏側の布を構成する裏布とで構成し、前身頃の左右を繋げて当該表布と裏布とで収容部を形成することによって、少なくともＡ４サイズ又はレターサイズの大きさの用紙が収容可能な収容部を形成することができる。つまり、本態様では、収容部内には、Ａ４サイズ又はレターサイズ以上の大きさの用紙が収容可能となる。
［０００８］
なお、ここでの「一体化」は、例えば、前身頃と後ろ身頃とが、縫製、接着、溶着等により一つに繋がった状態を称する。裏を返せば、前身頃と後ろ身頃が一つに繋がっていればよく、必ずしも縫製や接着を行う必要はない。
［０００９］
また、Ａ４サイズは、ＩＳＯ２１６で規定されている用紙サイズであり、２１０ｍｍ×２９７ｍｍである。また、レターサイズは、アメリカ合衆国で規格化された用紙サイズであり、８．５ｉｎ×１１ｉｎ（２１５．９ｍｍ×２７９．４ｍｍ）である。
［００１０］
本発明の第２の態様は、本発明の第１の態様において、前記表布と前記裏布とが同じ大きさで形成されてもよい。
［００１１］
本発明の第２の態様では、表布と裏布とが同じ大きさで形成されており、前身頃の表側の布を構成する表布と当該前身頃の裏側の布を構成する裏布とが二枚重なった状態で前身頃が形成されている。したがって、当該表布と裏布とで形成された収容部は、前身頃全体に及ぶ大きさとなる。
［００１２］
本発明の第３の態様は、本発明の第１の態様又は第２の態様において、前記表布と前記裏布とが縫製される縫製部の一部に前記口部が形成されてもよい。
［００１３］
本発明の第３の態様では、表布と裏布とが縫製される縫製部の一部に口部が形成されているため、当該縫製部以外の部位に口部が形成された場合と比較して、当該口部の位置が特定され難い。
［００１４］
本発明の第４の態様は、本発明の第２の態様又は第３の態様において、前
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
左右が一体化され、上体の前側を覆う２枚の前身頃と、
前記上体の後ろ側を覆い、前記前身頃と一体化された１枚の後ろ身頃と、
を備え、
前記前身頃は、
当該前身頃の表側の布を構成する表布と当該前身頃の裏側の布を構成する裏布とが同じ大きさで重なって形成され、かつ、前記表布と前記裏布とで形成されると共に前記前身頃の左右が繋がって少なくともＡ４サイズ又はレターサイズの大きさの用紙が収容可能な収容部と、
前記収容部と繋がる口部と、
を含んで構成されている上衣。
【請求項２】
左右が一体化され、上体の前側を覆う２枚の前身頃と、
前記上体の後ろ側を覆い、前記前身頃と一体化された１枚の後ろ身頃と、
を備え、
前記前身頃は、
当該前身頃の表側の布を構成する表布と当該前身頃の裏側の布を構成し上部が前記表布よりも短く形成された裏布とが重なって形成され、かつ、前記表布と前記裏布とで形成されると共に前記前身頃の左右が繋がって少なくともＡ４サイズ又はレターサイズの大きさの用紙が収容可能な収容部と、
前記収容部と繋がる口部と、
を含んで構成されている上衣。
【請求項３】
前記表布と前記裏布とが縫製される縫製部の脇下部に前記口部が形成されている請求項１又は請求項２に記載の上衣。
【請求項４】
前記裏布には、前記収容部の外側に裏ポケットが設けられている請求項２又は請求項３に記載の上衣。
【請求項５】
前記表布に胸ポケットが設けられ、
前記裏ポケットは、正面視で前記胸ポケットからはみ出さず当該胸ポケットと重なる位置に設けられている請求項４に記載の上衣。
【請求項６】
前記裏ポケットには、当該裏ポケットの一部を構成し、前記裏布と縫製されたポケット用布の上端部に形成されて当該裏ポケット内に収容された収容物の取り出しを阻害する返し部が前記裏ポケット内へ向かって延出されている請求項４又は請求項５に記載の上衣。
【請求項７】
前記裏ポケットは、パスポートが収容可能な大きさとなるように設定され、正面視で前記返し部は前記パスポートの上端部と重なるように形成されている請求項６に記載の上衣。
【請求項８】
前記裏布には、前記収容部内に内ポケットが設けられている請求項１〜請求項７の何れか１項に記載の上衣。
【請求項９】
前記口部は、前記前身頃の右側又は左側のみに設けられている請求項１〜請求項８の何れか１項に記載の上衣。
【請求項１０】
前記上衣は、Ｔシャツである請求項１〜請求項９の何れか１項に記載の上衣。
【手続補正３】
【補正対象書類名】明細書
【補正対象項目名】０００１
【補正方法】変更
【補正の内容】
【０００１】
技術分野
［０００１］
本発明は、上衣に関する。
背景技術
［０００２］
例えば、実開昭６０−１５２６４８５１５号公報には、トレーナーやＴシャツ等の上衣において、前身頃の腹部の中央にポケットが取付けられた技術が開示されている。つまり、この先行技術において、上衣の収容部は、前身頃の腹部の中央となる。
発明の概要
発明が解決しようとする課題
［０００３］
本発明は上記問題を考慮し、できるだけ大きい収容部が設けられた上衣を得ることが目的である。
課題を解決するための手段
［０００４］
上記目的を達成するために、本発明の第１の態様は、左右が一体化され、上体の前側を覆う２枚の前身頃と、前記上体の後ろ側を覆い、前記前身頃と一体化された１枚の後ろ身頃と、を備え、前記前身頃は、当該前身頃の表側の布を構成する表布と当該前身頃の裏側の布を構成する裏布とが同じ大きさで重なって形成され、かつ前記表布と前記裏布とで形成されると共に前記前身頃の左右が繋がって少なくともＡ４サイズ又はレターサイズの大きさの用紙が収容可能な収容部と、前記収容部と繋がる口部と、を含んで構成されている。
［０００５］
本発明の第１の態様では、左右が一体化されて上体の前側を覆う２枚の前身頃には、上体の後ろ側を覆う１枚の後ろ身頃が一体化されている。ここで、前身頃は、当該前身頃の表側の布を構成する表布と、前身頃の裏側の布を構成する裏布と、が同じ大きさで重なって形成されている。
［０００６］
さらに、当該前身頃は、収容部と口部を含んで構成されている。収容部は、前身頃の表布と裏布とで形成されると共に当該前身頃の左右が繋がっており、少なくともＡ４サイズ又はレターサイズの大きさの用紙が収容可能な大きさとなるように設定されている。
【手続補正４】
【補正対象書類名】明細書
【補正対象項目名】０００２
【補正方法】変更
【補正の内容】
【０００２】
この収容部と口部が繋がっており、当該口部を通じて収容部内へ収容物を収容可能とされる。
［０００７］
前述のように、本態様では、前身頃を、当該前身頃の表側の布を構成する表布と、前身頃の裏側の布を構成する裏布とで構成し、前身頃の左右を繋げて当該表布と裏布とで収容部を形成することによって、少なくともＡ４サイズ又はレターサイズの大きさの用紙が収容可能な収容部を形成することができる。つまり、本態様では、収容部内には、Ａ４サイズ又はレターサイズ以上の大きさの用紙が収容可能となる。
また、本態様では、表布と裏布とが同じ大きさで形成されており、前身頃の表側の布を構成する表布と当該前身頃の裏側の布を構成する裏布とが二枚重なった状態で前身頃が形成されている。したがって、当該表布と裏布とで形成された収容部は、前身頃全体に及ぶ大きさとなる。
［０００８］
なお、ここでの「一体化」は、例えば、前身頃と後ろ身頃とが、縫製、接着、溶着等により一つに繋がった状態を称する。裏を返せば、前身頃と後ろ身頃が一つに繋がっていればよく、必ずしも縫製や接着を行う必要はない。
［０００９］
また、Ａ４サイズは、ＩＳＯ２１６で規定されている用紙サイズであり、２１０ｍｍ×２９７ｍｍである。また、レターサイズは、アメリカ合衆国で規格化された用紙サイズであり、８．５ｉｎ×１１ｉｎ（２１５．９ｍｍ×２７９．４ｍｍ）である。
［００１０］
本発明の第２の態様は、左右が一体化され、上体の前側を覆う２枚の前身頃と、前記上体の後ろ側を覆い、前記前身頃と一体化された１枚の後ろ身頃と、を備え、前記前身頃は、当該前身頃の表側の布を構成する表布と当該前身頃の裏側の布を構成し上部が前記表布よりも短く形成された裏布とが重なって形成され、かつ、前記表布と前記裏布とで形成されると共に前記前身頃の左右が繋がって少なくともＡ４サイズ又はレターサイズの大きさの用紙が収容可能な収容部と、前記収容部と繋がる口部と、を含んで構成されている。
［００１１］
本発明の第２の態様では、左右が一体化されて上体の前側を覆う２枚の前身頃には、上体の後ろ側を覆う１枚の後ろ身頃が一体化されている。ここで、前身頃は、当該前身頃の表側の布を構成する表布と、前身頃の裏側の布を構成し上部が当該表布よりも短く形成された裏布と、が重なって形成されている。
さらに、当該前身頃は、収容部と口部を含んで構成されている。収容部は、前身頃の表布と裏布とで形成されると共に当該前身頃の左右が繋がっており、少なくともＡ４サイズ又はレターサイズの大きさの用紙が収容可能な大きさとなるように設定されている。
［００１２］
本発明の第３の態様は、本発明の第１の態様又は第２の態様において、前記表布と前記裏布とが縫製される縫製部の脇下部に前記口部が形成されてもよい。
［００１３］
本発明の第３の態様では、表布と裏布とが縫製される縫製部の脇下部に口部が形成されているため、当該縫製部以外の部位に口部が形成された場合と比較して、当該口部の位置が特定され難い。
［００１４］
本発明の第４の態様は、本発明の第２の態様又は第３の態様において、前
【手続補正５】
【補正対象書類名】明細書
【補正対象項目名】０００３
【補正方法】変更
【補正の内容】
【０００３】
記裏布には、前記収容部の外側に裏ポケットが設けられてもよい。
［００１５］
本発明の第４の態様では、前身頃の裏布側において、収容部の外側に裏ポケットが設けられている。本態様では、前身頃は、表布と裏布の二枚重ねとなっているため、裏布側に裏ポケットを設けることで、前身頃の表側から当該裏ポケットの存在の確認がし辛くなる。つまり、本態様では、上衣に当該裏ポケットが設けられていることが第三者から見て分かりづらく、セキュリティーを確保することができる。
［００１６］
本発明の第５の態様は、本発明の第４の態様において、前記表布に胸ポケットが設けられ、前記裏ポケットは、正面視で前記胸ポケットからはみ出さず当該胸ポケットと重なる位置に設けられてもよい。
［００１７］
本発明の第５の態様では、表布に胸ポケットが設けられている。このため、本態様では、正面視で、裏ポケットが当該胸ポケットからはみ出さず胸ポケットと重なる位置に設けられることで、上衣が濡れた状態であったとしても裏ポケットが上衣の表側から見えないようにしている。
［００１８］
本発明の第６の態様は、本発明の第４の態様又は第５の態様において、前記裏ポケットには、当該裏ポケットの一部を構成し、前記裏布と縫製されたポケット用布の上端部に形成されて当該裏ポケット内に収容された収容物の取り出しを阻害する返し部が前記裏ポケット内へ向かって延出されてもよい。
［００１９］
本発明の第６の態様では、裏ポケットにおいて、当該裏ポケットの一部を構成し裏布と縫製されたポケット用布の上端部に返し部が裏ポケット内へ向かって延出されており、当該裏ポケット内に収容された収容物の取り出しを阻害するようにしている。つまり、本態様では、裏ポケットに返し部が形成されることによって、裏ポケット内に収容された収容物を取り出すときに、当該収容物が返し部に引っ掛かることで、収容物が容易に取り出せないようにしている。
［００２０］
本発明の第７の態様は、本発明の第６の態様において、前記裏ポケットは、パスポートが収容可能な大きさとなるように設定され、正面視で前記返し部は前記パスポートの上端部と重なるように形成されてもよい。
［００２１］
本発明の第７の態様では、裏ポケットは、表布と裏布の二枚重ねで形成さ
【手続補正６】
【補正対象書類名】明細書
【補正対象項目名】０００４
【補正方法】変更
【補正の内容】
【０００４】
れた前身頃の裏布側に設けられており、前身頃の表側からの確認がし辛いため、当該裏ポケット内にパスポート（９１ｍｍ×１２８ｍｍ）が収容できるようにすることで、当該パスポートを肌身離さず持ち運ぶことが可能となる。
［００２２］
本発明の第８の態様は、本発明の第１の態様〜第７の態様の何れか１の態様において、前記裏布には、前記収容部内に内ポケットが設けられている。
［００２３］
本発明の第８の態様では、裏布には、収容部内に内ポケットが設けられている。
本態様では、前身頃は、表布と裏布の二枚重ねとなっているため、裏布側に内ポケットを設けることで、前身頃の表側から当該内ポケットの存在の確認がし辛く、セキュリティーを確保することができる。
［００２４］
本発明の第９の態様は、本発明の第１の態様〜第８の態様の何れか１の態様において、前記口部は、前記前身頃の右側又は左側のみに設けられてもよい。
［００２５］
本発明の第９の態様では、口部は、前身頃の右側又は左側のみに設けられており、収容部への入口は一つとなる。
［００２６］
本発明の第１０の態様は、本発明の第１の態様〜第９の態様の何れか１の態様において、上衣は、Ｔシャツでもよい。
［００２７］
本発明の第１０の態様では、本発明がＴシャツに適用されることによって、当該Ｔシャツに多様性を持たせることができる。
発明の効果
［００２８］
以上説明したように、本発明の第１の態様は、上衣にできるだけ大きい収容部を設けることができる、という優れた効果を有する。
［００２９］
本発明の第２の態様は、縫製部をデザインの一部として利用することができる、という優れた効果を有する。
［００３０］
本発明の第３の態様は、縫製部の脇下部に口部が形成されているため当該口部の位置が分かり難い。
［００３１］
本発明の第４の態様は、裏ポケットの存在が前身頃の表側から見えないため、セキュリティーを確保することができる、という優れた効果を有する。
【手続補正書】
【提出日】令和3年5月19日(2021.5.19)
【手続補正１】
【補正対象書類名】明細書
【補正対象項目名】０００４
【補正方法】変更
【補正の内容】
【０００４】
上記目的を達成するために、本発明の第１の態様は、左右が一体に形成され、上体の前側を覆う２枚の前身頃と、前記上体の後ろ側を覆うと共に１枚の布で構成され、前記前身頃と一体に縫製された後ろ身頃と、を備え、前記前身頃は、当該前身頃の表側の布を構成する表布と当該前身頃の裏側の布を構成する裏布とが同じ大きさで形成されると共に、当該表布側からは当該裏布が見えないように重ねられて周縁部が縫製されており、かつ、前記表布と前記裏布とで形成されると共に前記前身頃の左右に亘って設けられた少なくともＡ４サイズ又はレターサイズの大きさの用紙が収容可能な収容部と、前記収容部と繋がる口部と、を含んで構成されている。
【手続補正２】
【補正対象書類名】明細書
【補正対象項目名】０００５
【補正方法】変更
【補正の内容】
【０００５】
本発明の第１の態様では、左右が一体に形成されて上体の前側を覆う２枚の前身頃には、上体の後ろ側を覆うと共に１枚の布で構成された後ろ身頃が前身頃と一体に縫製されている。ここで、前身頃は、当該前身頃の表側の布を構成する表布と、前身頃の裏側の布を構成する裏布と、が同じ大きさで形成されると共に、当該表布側からは当該裏布が見えないように重ねられて周縁部が縫製されている。
【手続補正３】
【補正対象書類名】明細書
【補正対象項目名】０００６
【補正方法】変更
【補正の内容】
【０００６】
さらに、当該前身頃は、収容部と口部を含んで構成されている。収容部は、前身頃の表布と裏布とで形成されると共に当該前身頃の左右に亘って設けられており、少なくともＡ４サイズ又はレターサイズの大きさの用紙が収容可能な大きさとなるように設定されている。この収容部と口部が繋がっており、当該口部を通じて収容部内へ収容物を収容可能とされる。
【手続補正４】
【補正対象書類名】明細書
【補正対象項目名】０００８
【補正方法】変更
【補正の内容】
【０００８】
なお、ここでの「一体」は、例えば、前身頃と後ろ身頃とが、縫製、接着、溶着等により一つに繋がった状態を称する。裏を返せば、前身頃と後ろ身頃が一つに繋がっていればよく、必ずしも縫製や接着を行う必要はない。
【手続補正５】
【補正対象書類名】明細書
【補正対象項目名】００１０
【補正方法】変更
【補正の内容】
【００１０】
本発明の第２の態様は、左右が一体に形成され、上体の前側を覆う２枚の前身頃と、  前記上体の後ろ側を覆うと共に１枚の布で構成され、前記前身頃と一体に縫製された後ろ身頃と、を備え、前記前身頃は、当該前身頃の表側の布を構成する表布と当該前身頃の裏側の布を構成し上部が前記表布よりも短く形成された裏布とで形成されると共に、当該表布側からは当該裏布が見えないように重ねられて周縁部が縫製されており、かつ、前記表布と前記裏布とで形成されると共に前記前身頃の左右に亘って設けられた少なくともＡ４サイズ又はレターサイズの大きさの用紙が収容可能な収容部と、前記収容部と繋がる口部と、を含んで構成されている。
【手続補正６】
【補正対象書類名】明細書
【補正対象項目名】００１１
【補正方法】変更
【補正の内容】
【００１１】
本発明の第２の態様では、左右が一体に形成されて上体の前側を覆う２枚の前身頃には、上体の後ろ側を覆うと共に１枚の布で構成された後ろ身頃が前身頃と一体に縫製されている。ここで、前身頃は、当該前身頃の表側の布を構成する表布と、前身頃の裏側の布を構成し上部が当該表布よりも短く形成された裏布と、が当該表布側からは当該裏布が見えないように重ねられて周縁部が縫製されている。
さらに、当該前身頃は、収容部と口部を含んで構成されている。収容部は、前身頃の表布と裏布とで形成されると共に当該前身頃の左右に亘って設けられており、少なくともＡ４サイズ又はレターサイズの大きさの用紙が収容可能な大きさとなるように設定されている。
【手続補正７】
【補正対象書類名】特許請求の範囲
【補正対象項目名】全文
【補正方法】変更
【補正の内容】
【特許請求の範囲】
【請求項１】
左右が一体に形成され、上体の前側を覆う２枚の前身頃と、
前記上体の後ろ側を覆うと共に１枚の布で構成され、前記前身頃と一体に縫製された後ろ身頃と、
を備え、
前記前身頃は、
当該前身頃の表側の布を構成する表布と当該前身頃の裏側の布を構成する裏布とが同じ大きさで形成されると共に、当該表布側からは当該裏布が見えないように重ねられて周縁部が縫製されており、かつ、前記表布と前記裏布とで形成されると共に前記前身頃の左右に亘って設けられた少なくともＡ４サイズ又はレターサイズの大きさの用紙が収容可能な収容部と、
前記収容部と繋がる口部と、
を含んで構成されている上衣。
【請求項２】
左右が一体に形成され、上体の前側を覆う２枚の前身頃と、
前記上体の後ろ側を覆うと共に１枚の布で構成され、前記前身頃と一体に縫製された後ろ身頃と、
を備え、
前記前身頃は、
当該前身頃の表側の布を構成する表布と当該前身頃の裏側の布を構成し上部が前記表布よりも短く形成された裏布とで形成されると共に、当該表布側からは当該裏布が見えないように重ねられて周縁部が縫製されており、かつ、前記表布と前記裏布とで形成されると共に前記前身頃の左右に亘って設けられた少なくともＡ４サイズ又はレターサイズの大きさの用紙が収容可能な収容部と、
前記収容部と繋がる口部と、
を含んで構成されている上衣。
【請求項３】
前記表布と前記裏布とが縫製される縫製部の脇下部に前記口部が形成されている請求項１又は請求項２に記載の上衣。
【請求項４】
前記裏布には、前記収容部の外側に裏ポケットが設けられている請求項２又は請求項３に記載の上衣。
【請求項５】
前記表布に胸ポケットが設けられ、
前記裏ポケットは、正面視で前記胸ポケットからはみ出さず当該胸ポケットと重なる位置に設けられている請求項４に記載の上衣。
【請求項６】
前記裏ポケットには、当該裏ポケットの一部を構成し、前記裏布と縫製されたポケット用布の上端部に形成されて当該裏ポケット内に収容された収容物の取り出しを阻害する返し部が前記裏ポケット内へ向かって延出されている請求項４又は請求項５に記載の上衣。
【請求項７】
前記裏ポケットは、パスポートが収容可能な大きさとなるように設定され、正面視で前記返し部は前記パスポートの上端部と重なるように形成されている請求項６に記載の上衣。
【請求項８】
前記裏布には、前記収容部内に内ポケットが設けられている請求項１〜請求項７の何れか１項に記載の上衣。
【請求項９】
前記口部は、前記前身頃の右側又は左側のみに設けられている請求項１〜請求項８の何れか１項に記載の上衣。
【請求項１０】
前記上衣は、Ｔシャツである請求項１〜請求項９の何れか１項に記載の上衣。
【国際調査報告】
2020105127.tif 000012
2020105127.tif 000013
2020105127.tif 000014
2020105127.tif 000015